(57)【要約】【課題】外壁パネルの裏面側で通気層を備える外壁パネルの支持構造を提供する。【解決手段】外壁パネル（１３）の支持構造は、水平方向に延びる長尺部材であって外壁パネルの下辺（１３ｌ）を直下から支持して該外壁パネルの荷重を受け止める水平フランジ（１４ｈ）と外壁パネルの裏面にあてがわれる鉛直フランジ（１４ｌ）を有する下側通し部材（１４）と、下側通し部材の長手方向に間隔を空けて複数配置され一端が躯体（１２）に固定され他端が下側通し部材を片持ちで支持する下側持出部材（１５）と備え、躯体および下側通し部材の鉛直フランジ間に通気のための隙間を構成する。【選択図】図３
2015175158.tif 000002
【特許請求の範囲】
【請求項１】
建物の躯体を覆う外壁パネルと、
水平方向に延びる長尺部材であって、前記外壁パネルの下辺を直下から支持して該外壁パネルの荷重を受け止める水平フランジと、前記外壁パネルの裏面にあてがわれる鉛直フランジを有する下側通し部材と、
前記下側通し部材の長手方向に間隔を空けて複数配置され、一端が前記躯体に固定され、他端が前記下側通し部材を片持ちで支持する下側持出部材と備え、
前記躯体および前記下側通し部材の鉛直フランジ間に通気のための隙間を構成する、外壁パネルの支持構造。
【請求項２】
前記外壁パネルの上辺側部分に沿って水平に延び、前記外壁パネルの裏面と連結する上側通し部材と、
前記上側通し部材の長手方向に間隔を空けて複数配置され、一端が前記躯体に固定され、他端が前記上側通し部材を片持ちで支持する上側持出部材とをさらに備え、
前記躯体および前記上側通し部材間に通気のための隙間を構成する、請求項１に記載の外壁パネルの支持構造。
【請求項３】
前記複数の上側持出部材は前記上側通し部材に溶接固定される、請求項２に記載の外壁パネルの支持構造。
【請求項４】
前記下側および／または上側持出部材は乾式工法で前記躯体に固定される、請求項１〜３のいずれかに記載の外壁パネルの支持構造。
【請求項５】
前記複数の下側持出部材は前記下側通し部材の前記鉛直フランジ部に溶接固定される、請求項４に記載の外壁パネルの支持構造。
【請求項６】
前記隙間の幅は１０ｍｍ以上である、請求項１〜５のいずれかに記載の外壁パネルの支持構造。
【発明の詳細な説明】
【技術分野】
【０００１】
本発明は、建物の躯体を外側から覆うことにより当該建物の外壁を構成するカーテンウォールに関する。
【背景技術】
【０００２】
カーテンウォールは複数枚の矩形の外壁パネルからなり、外壁パネルは水平方向に整列するとともに鉛直方向にも整列する。各外壁パネルは、躯体から建物外側に持ち出されるようにして当該躯体に支持される。各外壁パネルを建物の躯体に取り付ける一般的な構造は、特許第５２１６４０５号公報（特許文献１）、特開２００５−１２７０１４号公報（特許文献２）、および特開平１１−２５６７３７号公報（特許文献３）に記載されている。従来の一般的な外壁パネル取付構造を外壁パネルの側方からみた縦断面図を図８に示す。従来の一般的な外壁パネル取付構造では、躯体の梁を構成するＨ型鋼５と、外壁パネル（壁パネル、あるいは単にパネルともいう）１の間に、１本の長い通しアングル（定規アングルともいう）６と、複数個の取付金具（自重受け金具ともいう）８が介在する。
【０００３】
通しアングル６は水平方向に整列する複数枚の外壁パネルに跨って長く延びる。そして通しアングルの水平フランジが梁（Ｈ型鋼５）の上側フランジに重なるよう配設され、通しアングル６の鉛直フランジが梁（Ｈ型鋼５）よりも建物外側に持ち出される。
【０００４】
取付金具８は、長く延びる通しアングル６に長手方向に所定間隔を空けて複数個取り付けられるものであって、側方からみて下向きの開口を有するコ字状あるいは稲妻型（Ｚ型ともいう）の係止部と、この係止部から前方に突出する連結部８ｅ，８ａとを有する。取付金具８の係止部は、通しアングル６の上向きの鉛直フランジに上方から差し込まれて、通しアングル６に係止する。取付金具の連結部８ｅ，８ａは外壁パネル１の下端と連結する。
【先行技術文献】
【特許文献】
【０００５】
【特許文献１】特許第５２１６４０５号公報
【特許文献２】特開２００５−１２７０１４号公報
【特許文献３】特開平１１−２５６７３７号公報
【発明の概要】
【発明が解決しようとする課題】
【０００６】
しかし、上記従来のような外壁パネル取付構造にあっては、以下に説明するような問題を生ずる。すなわち、通しアングルの水平フランジが梁の上側フランジに重なるように設置されることから、通しアングルよりも上側の空間と通しアングルよりも下側の空間と遮断される。そうすると、湿気が外壁パネル裏面に沿って停滞して結露が生じ、建物の耐久性が低下する。
【０００７】
本発明は、上述の実情に鑑み、外壁パネルの裏面側で通気層を備える外壁パネルの支持構造を提供することを目的とする。
【課題を解決するための手段】
【０００８】
この目的のため本発明による外壁パネルの支持構造は、建物の躯体を覆う外壁パネルと、水平方向に延びる長尺部材であって外壁パネルの下辺を直下から支持して該外壁パネルの荷重を受け止める水平フランジと外壁パネルの裏面にあてがわれる鉛直フランジを有する下側通し部材と、下側通し部材の長手方向に間隔を空けて複数配置され、一端が躯体に固定され、他端が下側通し部材を片持ちで支持する下側持出部材と備え、躯体および下側通し部材の鉛直フランジ間に通気のための隙間を構成する。
【０００９】
かかる本発明によれば隙間が構成されることから、下側通し部材よりも上側の空間と下側の空間が連通し、従来の通しアングルのように遮断されない。外壁パネルの裏面に空気を流して、換気することができる。したがって外壁パネルの裏面および躯体に結露が生じず、建物の耐久性が向上する。
【００１０】
本発明の一実施形態として、外壁パネルの上辺側部分に沿って水平に延び外壁パネルの裏面と連結する上側通し部材と、上側通し部材の長手方向に間隔を空けて複数配置され一端が躯体に固定され他端が上側通し部材を片持ちで支持する上側持出部材とをさらに備え、躯体および上側通し部材間に通気のための隙間を構成する。かかる実施形態によれば、外壁パネルの上辺および下辺の双方において、鉛直方向に貫通する隙間を設けることができ、外壁パネルの裏面に沿って換気することができる。
【００１１】
本発明のさらに好ましい実施形態として、下側および／または上側持出部材は乾式工法で躯体に固定される。かかる実施形態によれば、建築施工現場でこれら持出部材の位置を調整しながら、躯体に容易に取り付けることができる。なお乾式工法とは、溶接や接着剤を使わず、ボルト、ナット、クリップ等の機械的な連結具を用いて、２部材を連結することをいう。他の実施形態としてこれらの持出部材が溶接によって躯体に取付固定されてもよい。
【００１２】
本発明は一実施形態に限定されるものではないが、複数の下側持出部材は下側通し部材の鉛直フランジ部に溶接固定されるとよい。かかる実施形態によれば、予め工場で溶接固定しておくことにより、複数の下側持出部材および１本の下側通し部材を１部品として取り扱うことができる。したがって、建築施工現場における組み立て効率が向上する。他の実施形態として、溶接や接着剤を使う湿式工法ではなく、ボルト、ナット、クリップ等の乾式工法によって上側通し部材および上側持出部材を結合してもよい。
【００１３】
隙間の幅は特に限定されないが通気を円滑に行うため、１０ｍｍ以上であるとよい。隙間の幅は大きいほど良いが、大きすぎると外壁の表面から居住空間の内側壁面までの全体壁厚が大きくなってしまうことに留意する。
【発明の効果】
【００１４】
このように本発明によれば、通気のための隙間によって、外壁パネル裏面側の空間を上下方向に換気することができる。したがって躯体に結露が生じず、建物の耐久性が向上する。
【図面の簡単な説明】
【００１５】
【図１】本発明の一実施形態になる外壁パネルの支持構造を示す分解斜視図である。
【図２】同実施形態を側方からみた断面図であり、通気のための隙間を示す。
【図３】同実施形態を側方からみた断面図であり、持出部材を示す。
【図４】同実施形態を側方からみた断面図であり、取付金具を示す。
【図５】外壁パネルを躯体から持ち出して支持する構造を示す分解斜視図である。
【図６】梁から躯体外側へ持ち出すように支持される通しアングルを示す平面図である。
【図７】通しアングルを長手方向にみた側面図である。
【図８】従来の外壁パネルの支持構造を示す断面図である。
【発明を実施するための形態】
【００１６】
以下、本発明の実施の形態を、図面に基づき詳細に説明する。図１は、本発明の一実施形態になる外壁パネルの支持構造を示す分解斜視図であって、躯体の外側からみた様子を表す。図２〜図４は、同実施形態を側方からみた断面図であり、図２は通気のための隙間で、図３は持出部材で、図４は取付金具でそれぞれ断面とする。図５は、外壁パネルを躯体から持ち出すように支持する構造を示す分解斜視図である。
【００１７】
本実施形態の建物は、図１および図５に示すように複数本の柱１１と複数本の梁１２を接合してなる躯体と、この躯体を覆う複数枚の外壁パネル１３とを備える。なお図面の理解を容易にするため、図１の分解斜視図では１階床から２階天井までの柱を示し、また水平方向１単位の梁を示し、それ以外の躯体を仮想線で示し、外壁パネル１３を躯体から取り外しあるいは図略する。実際には複数枚の外壁パネル１３が、同じ姿勢で、水平方向に整列するとともに、複数階に亘り鉛直方向に整列する。１本の柱１１と１本の梁１２と左右２枚の外壁パネル１３を単位として、これらは鉛直方向および水平方向に繰り返すように増やすことができる。
【００１８】
躯体のコンクリート基礎１０の天端には柱１１の下端が固定される。柱１１は鉛直方向に延びる矩形断面の鋼材であって、水平方向に所定間隔を空けて配置され、柱１１の上端は梁１２の両端部を支持する。梁１２は、図２〜図４に示すようにＨ型鋼であり、水平方向に延びて、上階と下階の間に介在する階間を構成する。
【００１９】
外壁パネル１３は、上辺１３ｕ、下辺１３ｌ、第１側辺１３ｍ、および第２側辺１３ｎを有する矩形であり、第１側辺１３ｍおよび第２側辺１３ｎは建物の各階の高さと略同じ寸法を有する。また上辺１３ｕおよび下辺１３ｌは、第１側辺１３ｍおよび第２側辺１３ｎよりも短くされる。外壁パネル１３は例えばコンクリート板である。
【００２０】
外壁パネル１３の下辺１３ｌは、通しアングル１４を介して躯体に支持される。また外壁パネル１３は、上辺１３ｕ近傍の上辺側部分で、上側通し部材２４を介して躯体に連結される。
【００２１】
図６は、梁１２から躯体外側へ持ち出されるよう支持される通しアングル１４を示す平面図である。図７は、通しアングル１４を長手方向にみた側面図である。通しアングル１４はＬ型鋼であって、水平フランジおよび鉛直フランジを有する長尺な下側通し部材である。また図１〜図４に示すように、通しアングル１４は、外壁パネル１３の下辺１３ｌに沿って水平に延び、図１に示すように少なくとも下辺１３ｌと略同じ長さを有する。なお本実施形態の他、図には示さなかったが通しアングル１４は梁１２と略同じ長さであってもよく、下辺１３ｌの数倍の長さであってもよい。
【００２２】
通しアングル１４の水平フランジ１４ｈは、外壁パネル１３の下辺１３ｌを直下から支持して外壁パネル１３の荷重を受け止める。通しアングル１４の鉛直フランジ１４ｌは、外壁パネル１３の裏面１３ｂにあてがわれる。
【００２３】
通しアングル１４は、梁１２またはコンクリート基礎１０と平行に延び、これらにそれぞれ支持される。通しアングル１４と梁１２の間には複数の下側持出部材１５が設けられる。本実施形態では図６に示すように１本の長尺な通しアングル１４に対し３個の下側持出部材１５が設けられるが、下側持出部材１５の数は２個以上であれば特に限定されない。
【００２４】
下側持出部材１５の一端は梁１２の上側フランジにボルト１６およびナット１７（図３）で固定され、下側持出部材１５の他端は躯体（梁１２）の外側に突出して通しアングル１４を片持ち支持する。そして、通しアングル１４の鉛直フランジ１４ｌと梁１２の上側フランジの間に通気のための隙間Ｇ１を構成する。隙間Ｇ１は、通気を確保するため狭すぎてはならず、１０ｍｍ以上の間隔を確保すべきである。なお下側持出部材１５の他端は、工場などで予め、通しアングル１４の角部に溶接固定される。そして１本の通しアングル１４および複数の下側持出部材１５は、図７に示すように１部品を構成する。
【００２５】
図４を参照して、外壁パネル１３の下辺１３ｌには、水平方向中央に１個のロッキングプレート２０が予め固定されている。ロッキングプレート２０は、鋼製のプレートであって、鉛直方向に広がる鉛直部および水平方向に広がる水平部を有するよう、Ｌ字型に形成される。そしてロッキングプレート２０の水平部が外壁パネル１３の下端面に沿うよう設けられる。またロッキングプレート２０の鉛直部が外壁パネル１３の裏面１３ｂに沿って設けられる。ロッキングプレート２０は建築施工現場に搬入される前から外壁パネル１３に固定されていてもよいが、建築施工現場で後述する取付金具１８とともにボルト１９で共縫い固定されてもよい。なお詳しくは後述するが、ロッキングプレート２０は外壁パネル１３の支点として当該外壁パネル１３を支持することから、支点プレートとも称する。
【００２６】
通しアングル１４の鉛直フランジ１４ｌがあてがわれる外壁パネル１３の下辺１３ｌ寄りには、取付金具１８がボルト１９で締結固定される。取付金具１８は鉛直方向に延びる鋼製のプレートであって、その上端部と下端部が互いに平行な位置関係となるよう稲妻型に形成される。そして取付金具１８の上端部がロッキングプレート２０の鉛直部に重なるよう取り付けられ、取付金具１８の下端部がロッキングプレート２０の鉛直部との間で下向き開口の溝を構成する。かかる下向き溝に通しアングル１４の鉛直フランジ１４ｌが上向きに進入することにより、外壁パネル１３は外れないよう通しアングル１４に係止される。このようにして外壁パネル１３は、通しアングル１４に自重を預ける他、外れないよう通しアングル１４に取付固定される。ここで附言すると、通しアングル１４の水平フランジ１４ｈが外壁パネル１３の荷重を受け止める際、外壁パネル１３の下端面と水平フランジ１４ｈの間にロッキングプレート２０が介在する。この他にも図示はしなかったが、水平フランジ１４ｈが外壁パネル１３の下端面に直接接触してもよい。
【００２７】
上側通し部材２４は、図１〜図５に示すように外壁パネル１３の上辺１３ｕ側部分に沿って水平に延びる帯鋼であり、外壁パネル１３の鉛直な裏面１３ｂと面接触する。また上側通し部材２４は、図１に示すように少なくとも上辺１３ｕと略同じ長さを有する。なお本実施形態の他、図には示さなかったが上側通し部材２４は梁１２と略同じ長さであってもよく、上辺１３ｕの数倍の長さであってもよい。また上側通し部材２４の曲げ強度を確保するために、外壁パネル１３とは反対側の上側通し部材２４の表面にフランジないしリブを形成してもよい。
【００２８】
上側通し部材２４は、隙間Ｇ２を空けて梁１２と平行に延び、梁１２の下側フランジに支持される。上側通し部材２４と梁１２の下側フランジとの間には複数の上側持出部材２５が設けられる。本実施形態では図５に示すように１本の長尺な上側通し部材２４に対し３個の上側持出部材２５が設けられるが、上側持出部材２５の数は２個以上であれば特に限定されない。上側持出部材２５は、図３に示すように側方からみて三角形のブラケットである。
【００２９】
上側持出部材２５の一端は梁１２の下側フランジにボルト２６およびナット２７（図３）で固定され、上側持出部材２５の他端は躯体（梁１２）の外側に突出して上側通し部材２４を片持ち支持する。そして、鉛直に立ち上がった上側通し部材２４と梁１２の下側フランジの間に通気のための隙間Ｇ２を構成する。隙間Ｇ２も、隙間Ｇ１と同様、通気を確保するため狭すぎてはならず、１０ｍｍ以上の間隔を確保すべきである。なお上側持出部材２５の他端は、工場などで予め、上側通し部材２４の表面に溶接固定される。そして１本の上側通し部材２４および複数の上側持出部材２５は１部品を構成する。
【００３０】
図４を参照して、外壁パネル１３の上辺１３ｕ側の裏面１３ｂには、上側通し部材２４が面接触するとともに、取付金具２８がボルト２９で締結固定される。取付金具２８は外壁パネル１３の水平方向中央に１個配置される。取付金具２８は鉛直方向に延びる鋼製のプレートであって、その上端部と下端部が互いに平行な位置関係となるよう稲妻型に形成される。そして取付金具２８の下端部が外壁パネル１３の裏面に面接触するよう取り付けられ、取付金具２８の上端部が外壁パネル１３の裏面との間で上向き開口の溝を構成する。かかる上向き溝に上側通し部材２４が下向きに進入することにより、外壁パネル１３は外れないよう上側通し部材２４に係止される。このようにして外壁パネル１３は、外れないよう上側通し部材２４に取付固定される。
【００３１】
外壁パネル１３のうち上辺１３ｕと下辺１３ｌとの中間領域の裏面１３ｂには、縦桟３１が水平方向に間隔を空けて取り付けられる。縦桟３１には断熱材３２が取り付けられる。このようにして外壁パネル１３および断熱材３２間に隙間Ｇ３が形成される。これにより外壁パネル１３の裏面１３ｂに沿って、鉛直方向に連続する隙間Ｇ２，Ｇ３，Ｇ１が形成される。しかもこれらの隙間Ｇ２，Ｇ３，Ｇ１は鉛直方向に複数枚配列される外壁パネル１３にまたがる通路を構成する。したがって各外壁パネル１３の裏面１３ｂにおいて、図３〜図５に矢印で示すように空気が流れ、換気される。
【００３２】
本実施形態によれば、水平方向に延びる長尺な通しアングル１４および躯体の梁１２間に、複数の下側持出部材１５が通しアングル１４の長手方向に間隔を空けて複数配置される。そして下側持出部材１５の一端が梁１２に固定され、下側持出部材１５の他端が通しアングル１４を片持ちで支持し、梁１２および通しアングル１４の鉛直フランジ１４ｌ間に通気のための隙間Ｇ１を構成する。これにより外壁パネル１３の裏面側で換気が可能になり、結露を防止して、外壁パネル１３および躯体（柱１１および梁１２）の耐久性が向上する。
【００３３】
また本実施形態によれば、外壁パネル１３の上辺側部分に沿って水平に延び外壁パネル１３の裏面１３ｂと連結する上側通し部材２４と、上側通し部材２４の長手方向に間隔を空けて複数配置される上側持出部材２５をさらに備える。そして上側持出部材２５の一端が梁１２に固定され、上側持出部材２５の他端が上側通し部材２４を片持ちで支持し、梁１２および上側通し部材２４間に通気のための隙間Ｇ２を構成する。これにより外壁パネル１３の裏面側で換気が可能になり、結露を防止して、外壁パネル１３および躯体（柱１１および梁１２）の耐久性が向上する。したがってこれらの隙間Ｇ１，Ｇ２によって梁１２の上側空間と下側空間が連通して、両空間の間で空気を流すことができる。
【００３４】
なお、外壁パネルの鉛直方向寸法、水平方向寸法、および厚み寸法は本実施形態に限定されない。また１本の梁に割り付けられる外壁パネルの枚数も本実施形態に限定されない。
【００３５】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００３６】
この発明になる外壁パネルの支持構造は、建築工法において有利に利用される。
【符号の説明】
【００３７】
１０  コンクリート基礎、      １１  躯体の柱、      １２  躯体の梁、      
１３  外壁パネル、      １３ｂ  裏面、      １３ｌ  下辺、      １３ｕ  上辺、  
１４  通しアングル（下側通し部材）、      １４ｈ  水平フランジ、      
１４ｌ  鉛直フランジ、      １５  下側持出部材、      １８  取付金具、      
２０  ロッキングプレート、      ２４  上側通し部材、      ２５  上側持出部材、  
２８  取付金具、      Ｇ１，Ｇ２，Ｇ３  隙間。
【図１】
2015175158.tif 000003
【図２】
2015175158.tif 000004
【図３】
2015175158.tif 000005
【図４】
2015175158.tif 000006
【図５】
2015175158.tif 000007
【図６】
2015175158.tif 000008
【図７】
2015175158.tif 000009
【図８】
2015175158.tif 000010